(57)【要約】      （修正有）【課題】検体滴下部における検体の誤滴下を防止し、検体誤滴下に起因する誤測定・分析を回避すること。【解決手段】検体滴下部３１の上方位置にて検体滴下を選択的に遮断する遮断板８０を設ける。遮断板は検体滴下を遮断する閉位置と滴下部の上方を開放する移動可能な遮断板と閉位置と開放位置との間を往復駆動する駆動手段を備え、かつ滴下部の開閉に連動して滴下検体の飛散防止カバー部材の遮蔽、開放を行なう。【選択図】図４
2005249636.tif 000002
【特許請求の範囲】
【請求項１】
検体を滴下する検体滴下部と、検体の成分測定・分析を行う測定・分析部とを有する成分測定・分析装置において、
前記検体滴下部の上方位置にて検体滴下を選択的に遮断する遮断手段が設けられていることを特徴とする成分測定・分析装置。
【請求項２】
短冊状の検体板を往復動可能に受け入れる直線状の検体板移送通路を有し、前記検体板移送通路の長手方向の第１の位置に検体を滴下する検体滴下部が設けられ、前記検体板移送通路の長手方向の前記第１の位置とは異なる第２の位置に検体の成分測定・分析を行う測定・分析部が設けられ、前記検体板移送通路に入れられた検体板を前記検体板移送通路の長手方向に駆動する検体板駆動手段を有する成分測定・分析装置において、
前記検体滴下部の上方位置にて検体滴下を選択的に遮断する遮断手段が設けられていることを特徴とする成分測定・分析装置。
【請求項３】
前記遮断手段は、前記検体滴下部の上方部を遮蔽して検体滴下を遮断する閉位置と前記検体滴下部の上方部を開放して検体滴下を許可する開位置との間に移動可能な遮断板と、前記遮断板を前記閉位置と前記開位置との間に往復駆動する遮断板駆動手段とを有することを特徴とする請求項１または２記載の成分測定・分析装置。
【請求項４】
前記検体滴下部には当該検体滴下部を取り囲む筒状の滴下飛散防止カバー部材が設けられており、前記遮断板は、前記閉位置にて前記滴下飛散防止カバー部材の上端開口を遮蔽し、前記開位置にて前記滴下飛散防止カバー部材の上端開口を開放することを特徴とする請求項３記載の成分測定・分析装置。
【発明の詳細な説明】
【技術分野】
【０００１】
この発明は、測定・分析装置、特に、尿検査、血液検査等の成分測定・分析を行う成分測定・分析装置に関するものである。
【背景技術】
【０００２】
尿検査や血液検査等に用いられる測定・分析装置には、短冊状の試験片（検体板）を直線移動させて当該試験片を測定・分析装置内の成分測定・分析部に往復搬送するものや（たとえば、特許文献１）、円盤状の検体保持ディスクを回転させて当該検体保持ディスクを測定・分析装置内の成分測定・分析部に回転搬送するものがある（たとえば、特許文献２）。
【０００３】
何れの型式の測定・分析装置においても、検体を検体板や検体保持ディスクのウェル（検体保持部）に滴下供給する検体滴下部を有するものでは、検体滴下部が常時開放であると、測定すべき正規のウェル以外の場所に検体が誤滴下する可能性がある。これは、誤測定・分析の原因になり、誤測定・分析の信頼性を損ねことになる。
【０００４】
特に、複数個のウェルを有する検体板や検体保持ディスクを用いるものでは、検体滴下部の上方に配置される比重針のような検体滴下手段より検体液滴が、検体板や検体保持ディスクの移動中に、滴下すべき正規のウェル以外のウェルに落下し、誤った測定・分析が行われる虞れがある。
【特許文献１】特開平１１−３８０１３号公報
【特許文献２】特開２００２−４００１９号公報
【発明の開示】
【発明が解決しようとする課題】
【０００５】
この発明が解決しようとする課題は、検体滴下部における検体の誤滴下を防止し、検体誤滴下に起因する誤測定・分析を回避することである。
【課題を解決するための手段】
【０００６】
この発明による成分測定・分析装置は、検体を滴下する検体滴下部と、検体の成分測定・分析を行う測定・分析部とを有する成分測定・分析装置において、前記検体滴下部の上方位置にて検体滴下を選択的に遮断する遮断手段が設けられている。
【０００７】
また、この発明による成分測定・分析装置は、短冊状の検体板を往復動可能に受け入れる直線状の検体板移送通路を有し、前記検体板移送通路の長手方向の第１の位置に検体を滴下する検体滴下部が設けられ、前記検体板移送通路の長手方向の前記第１の位置とは異なる第２の位置に検体の成分測定・分析を行う測定・分析部が設けられ、前記検体板移送通路に入れられた検体板を前記検体板移送通路の長手方向に駆動する検体板駆動手段を有する成分測定・分析装置において、前記検体滴下部の上方位置にて検体滴下を選択的に遮断する遮断手段が設けられている。
【０００８】
この発明による成分測定・分析装置は、好ましくは、前記遮断手段は、前記検体滴下部の上方部を遮蔽して検体滴下を遮断する閉位置と前記検体滴下部の上方部を開放して検体滴下を許可する開位置との間に移動可能な遮断板と、前記遮断板を前記閉位置と前記開位置との間に往復駆動する遮断板駆動手段とを有する。
【０００９】
この発明による成分測定・分析装置は、好ましくは、前記検体滴下部には当該検体滴下部を取り囲む筒状の滴下飛散防止カバー部材が設けられており、前記遮断板は、前記閉位置にて前記滴下飛散防止カバー部材の上端開口を遮蔽し、前記開位置にて前記滴下飛散防止カバー部材の上端開口を開放する。
【発明の効果】
【００１０】
この発明による測定・分析装置によれば、検体滴下部の上方位置において遮断手段によって検体滴下が選択的に遮断されるから、当該遮断によって検体滴下部における検体の誤滴下が防止され、検体誤滴下に起因する誤測定・分析を回避することができる。
【発明を実施するための最良の形態】
【００１１】
この発明による測定・分析装置をヘモグロビン測定装置として実施した一つの実施形態を、図１〜図８を参照して説明する。
【００１２】
図１に示されているように、ヘモグロビン測定装置は、下部ケース１０と、上部カバー１１とを有し、前面部にスロット形状の検体板挿入口１２を形成されている。
【００１３】
上部カバー１１には、コンソールとして、検体選択スイッチ１３、測定開始スイッチ１４、検体板有無表示灯１６、待機中表示灯１７、測定準備中表示灯１８、測定中表示灯１９、検体番号表示部２０、測定総数表示部２１、測定結果（ヘモグロビン量）表示部２２が設けられている。
【００１４】
下部ケース１０には通路構成部材２３が水平状態で前後方向に固定装着されている。通路構成部材２３は、凹溝形状の帯状体で、後述する駆動ユニット５０の上板５１（図２参照）上にねじ止め固定されている。
【００１５】
通路構成部材２３は凹溝によって検体板移送通路２４を画定している。検体板移送通路２４は、図３に示されているように、検体板１００を載置される通路底面（凹溝底面）２４Ａと、検体板移送通路２４の一方の側（正面より見て左側）に設けられたガイド側面（凹溝側面）２４Ｂとを有し、短冊状の検体板１００の前後方向（検体板移送通路２４の長手方向）の往復移動を案内する。
【００１６】
通路構成部材２３の上部には検体板移送通路２４を横方向に跨ぐように第１ローラ支持体２５と、第２ローラ支持体２６と、第３ローラ支持体２７が各々固定されている。第１ローラ支持体２５は、検体板挿入口１２に近い位置に設けられ、軸２８によって検体板移送通路２４の上方に位置する押さえローラ２９を回転可能に支持している。第２ローラ支持体２６は、第１ローラ支持体２５より奥側の位置に設けられ、図２に示されているように、軸（図示省略）によって検体板移送通路２４の上方に位置する押さえローラ３０を回転可能に支持している。第３ローラ支持体２７は、第２ローラ支持体２６よりさらに奥側の位置に設けられ、第２ローラ支持体２６と同様に、軸（図示省略）によって検体板移送通路２４の上方に位置する押さえローラ（図示省略）を回転可能に支持している。これらローラ支持体２５〜２７の押さえローラ２９、３０等は、通路底面２４Ａに対してすべて同じ高さ位置にある。
【００１７】
検体板移送通路２４上の長手方向（前後方向）の検体板挿入口１２に近い第１の位置（第１ローラ支持体２５と２６との間の位置）には、図３に示されているように、検体滴下部３１が設けられている。
【００１８】
検体滴下部３１について、特に、図２〜図６を参照して詳しく説明する。図２に示されているように、検体滴下部３１には、凹溝形状の通路構成部材２３の上面にねじ止めされたフレーム組立体７０が設けられている。図５、図６に示されているように、フレーム組立体７０にはねじ７１によって、検体滴下部３１を取り囲む筒状の透明な滴下飛散防止カバー部材７２が取り付けられている。滴下飛散防止カバー部材７２が検体滴下部３１の開口を画定している。
【００１９】
フレーム組立体７０には、滴下飛散防止カバー部材７２内における検体の滴下を検出する検体滴下確認センサ８２が取り付けられている。
【００２０】
検体滴下部３１の上方には、図４に示されているように、上部カバー１１に取り付けられた検体滴下手段取付板７３が設けられており、この取付板７３に検体滴下開口７４があけられている。検体滴下開口７４は検体滴下部３１の真上位置にある。
【００２１】
検体滴下手段取付板７３には、ブラケット７５Ａによって傾斜台７５が取り付けられている。傾斜台７５には検体滴下手段である比重針７６が交換可能に取り付けられている。比重針７６は、採取した検体、例えば、血液を検体滴下開口７４へ向けて滴下する。なお、図１では、傾斜台７５、比重針７６の図示を省略している。
【００２２】
図５、図６に示されているように、フレーム組立体７０には、取付板７７Ａによって遮断板駆動手段であるリニアソレノイド装置７７が取り付けられている。リニアソレノイド装置７７のプランジャ７８にはねじ７９によって遮断板８０が取り付けられている。
【００２３】
遮断板８０は、リニアソレノイド装置７７に通電が行われていない非通電時には、リニアソレノイド装置７７に組み込まれているばね８１のばね力により検体滴下部３１の上方部、つまり、滴下飛散防止カバー部材７２の上端開口を遮蔽して検体滴下を遮断する閉位置に位置し、リニアソレノイド装置７７に通電が行われている通電時には、リニアソレノイド装置７７の励磁力によりばね８１のばね力に抗して前記閉位置よりリニアソレノイド装置７７に接近する方向へ移動し、図２〜図６に示されている、検体滴下部３１の上方部、つまり、滴下飛散防止カバー部材７２の上端開口を開放して検体滴下を許可する開位置に位置する。この遮断板８０の動作は、常閉の通電開型を意味する。
【００２４】
すなわち、遮断板８０は、前記閉位置と前記開位置との間に移動可能で、遮断板駆動手段であるリニアソレノイド装置７７が遮断板８０を前記閉位置と前記開位置との間に往復駆動する。
【００２５】
図２に示されているように、検体板移送通路２４上の長手方向（前後方向）の第１の位置より奥側の位置、つまり、第２の位置（第２ローラ支持体２６と２７との間の位置）には、成分測定・分析部として、ヘモグロビン測定部３２が設けられている。ヘモグロビン測定部３２は、検体に光を照射して検体のへモグロビン濃度を定量的に測定する吸光度法によるものである。
【００２６】
検体板移送通路２４の検体板挿入口１２の近くには、検体板挿入口１２より検体板移送通路２４に検体板１００が挿入されたことを光電式に検出する検体板挿入センサ（第１の検出手段）３３が設けられている。
【００２７】
また、図３に示されているように、通路構成部材２３のガイド側面２４Ｂ側には、検体板１００に設けられている検体保持部１０１〜１０５（図９（ａ）参照）の一つが検体滴下部３１の真下に位置したことを光電式に検出する検体滴下位置センサ（第２の検出手段）３４が設けられている。
【００２８】
また、通路構成部材２３のガイド側面２４Ｂ側には、検体板１００に設けられている検体保持部１０１〜１０５（図９（ａ）参照）の一つがヘモグロビン測定部３２の真下に位置したことを光電式に検出する測定位置センサ（第３の検出手段）３５が設けられている。
【００２９】
検体滴下位置センサ３４と測定位置センサ３５は、ともに、検体板１００に設けられている切欠部１１１〜１１７（図９（ａ）参照）のエッジを光学的に高精度に検出するものである。なお、検体板挿入センサ３３、検体滴下位置センサ３４、測定位置センサ３５は、光学的な無接触式のものに限られることはなく、リミットスイッチのような機械式、接触式のものでもよい。
【００３０】
図３に示されているように、下部ケース１０には駆動ユニット５０が取り付けられている。駆動ユニット５０は、図８に示されているように、複数個のスタッド部材５３によって上下間隔を与えられて固定連結されている上下２枚の上板５１と下板５２とを有する。
【００３１】
上板５１上には、図７に示されているように、ピニオン軸５４、５５に取り付けられたピニオン５６、５７がある。ピニオン５６、５７は、同一歯形状、同一径のものであり、図３に示されているように、ともに検体板移送通路２４の他方の側（正面より見て右側）、即ち、ガイド側面２４Ｂとは反対側に設けられ、検体板１００の側面に形成されているラックギア１０８の一連のラック歯１０６と噛合する。なお、ピニオン５６は、検体板挿入口１２の側にあり、もう一つのピニオン５７は、それより検体板移送通路２４の奥側にある。
【００３２】
ピニオン軸５４、５５は、ともに上板５１を上下に貫通して上板５１より回転可能に支持されている。上板５１と下板５２の間の空間には、図８に示されているように、ピニオン軸５４、５５に固定された歯付きの同一径のタイミングプーリ５８、５９が各々配置されており、これらタイミングプーリ５８、５９間には無端のタイミングベルト６０が掛け渡されている。また、上板５１と下板５２との間には、タイミングベルト６０のテンションを調整するテンションローラ６１がねじ６２によって取付位置調整可能に取り付けられている。
【００３３】
上板５１上にはステッピングモータ６３が取り付けられている。ステッピングモータ６３の出力軸６４には出力ギア６５が取り付けられている。上板５１には、これを上下に貫通した中間軸６６が回転可能に設けられている。中間軸６６の下端には出力ギア６５と噛合する中間ギア６７が固定されており、中間軸６６の上端には、図７に示されているように、ピニオン５７と噛合する中間ギア６８が固定されている。
【００３４】
これにより、ステッピングモータ６３の回転は、出力ギア６５、中間ギア６７、中間軸６６、中間ギア６８によってピニオン５７に伝達されると共に、さらに、ピニオン軸５５、タイミングプーリ５９、タイミングベルト６０、タイミングプーリ５８、ピニオン軸５４によってもう一方のピニオン５６に同期伝達され、ピニオン５６と５７は、同一方向に同一速度で、同期回転する。
【００３５】
図９（ａ）、（ｂ）は、上述した構成によるヘモグロビン測定装置に用いられる検体板の一つの実施形態を示している。図９（ａ）、（ｂ）に示されている検体板１００は、５ウェルタイプのものであり、合成樹脂成形品で、短冊形をなし、図９（ａ）に示されているように、検体板１００の上面に、長手方向に互いに所定間隔（等間隔）をおいて５個の凹状（ウェル状）の検体保持部１０１〜１０５を有する。検体保持部１０１〜１０５には、検体が均一に拡散するように白布がおかれる。
【００３６】
検体板１００の幅方向の一方の側面には、差し込み先端部１００Ａと後端部１００Ｂとの間に、一連のラック歯１０６によるラックギア１０８が一体成形されている。検体板１００の幅方向の他方の側面はラックギア１０８のピッチ線と平行な直線状の平らなガイド基準面１０７になっている。
【００３７】
検体板１００の幅方向の他方の側面、すなわち、ガイド基準面１０７には、検体保持部１０１〜１０５の位置を示す目印として、換言すると、検体板１００を長手方向に分割送り（間欠送り）するための半欠長穴孔形状の位置出し切欠部１１１〜１１５が間隔Ｌａをもって等間隔に一体成形されている。なお、検体板１００の差し込み先端部１００Ａの側には、位置出し切欠部１１１〜１１５と同様の形状のダミー切欠部１１６、１１７が同じピッチＬａで設けられている。位置出し切欠部１１１〜１１５、ダミー切欠部１１６、１１７の開口幅Ｌｂはすべて同じ寸法に設定されている。
【００３８】
また、ガイド基準面１０７において、位置出し切欠部１１１〜１１５、ダミー切欠部１１６、１１７でない各部を非切欠部１２１〜１２８と呼ぶ。非切欠部１２１〜１２８のうち、隣接する２つの切欠部１１１〜１１７間に位置する非切欠部１２１〜１２６の長さは同一値で、その長さは、切欠部ピッチＬａより切欠部横幅Ｌｂを差し引いた値（Ｌａ−Ｌｂ）であるが、最も差し込み先端部１００Ａの側にある非切欠部１２７の長さＬｃと、最も後端部１００Ｂの側にある非切欠部１２８の長さＬｄは、ともに、他の非切欠部１２１〜１２６の寸法（Ｌａ−Ｌｂ）より短い。
【００３９】
前述した検体滴下部３１に対する検体滴下位置センサ３４の配置位置（検体板送り方向のオフセット量）と、ヘモグロビン測定部３２に対する測定位置センサ３５の配置位置（検体板送り方向のオフセット量）は、互いに等しく、このオフセット量と、検体板１００の位置出し切欠部１１１〜１１５に対する検体保持部１０１〜１０５の配置位置（検体板送り方向のオフセット量）とが等しい。また、検体滴下位置センサ３４の配置位置と測定位置センサ３５の配置位置との検体板送り方向の間隔は、検体板１００の検体保持部１０１〜１０５の間隔の非整数倍に設定されている。
【００４０】
なお、この実施形態では、検体滴下位置センサ３４、測定位置センサ３５の出力は、ともに、透光状態、すなわち、切欠部１１１〜１１７の検出状態で、ロー出力（論理値０）、遮光状態、すなわち、非切欠部１２１〜１２８の検出状態で、ハイ出力（論理値１）であると定義する。
【００４１】
以上の設定により、後退移動時に、検体滴下位置センサ３４による位置出し切欠部１１１の後端側エッジ（後退送り方向で見て進み側のエッジ）の検出によって検体滴下位置センサ３４の出力が論理値１より論理値０へ変化した時点の検体板送り位置において検体保持部１０１の中心が検体滴下部３１の中央位置に位置することになる。
【００４２】
同様に、後退移動時に、検体滴下位置センサ３４による位置出し切欠部１１２〜１１５の後端側エッジの検出によって検体滴下位置センサ３４の出力が論理値１より論理値０へ変化した時点の検体板送り位置において検体保持部１０２〜１０５の中心が検体滴下部３１の中央位置に位置することになる。
【００４３】
また、前進移動時に、測定位置センサ３５による位置出し切欠部１１１の後端側エッジ（前進送り方向で見て遅れ側のエッジ）の検出によって測定位置センサ３５の出力が論理値０より論理値１へ変化した時点の検体板送り位置において検体保持部１０１の中心がヘモグロビン測定部３２の中央位置に位置することになる。
【００４４】
同様に、前進移動時に、測定位置センサ３５による位置出し切欠部１１２〜１１５の後端側エッジの検出によって測定位置センサ３５の出力が論理値０より論理値１へ変化した時点の検体板送り位置において検体保持部１０２〜１０５の中心がヘモグロビン測定部３２の中央位置に位置することになる。
【００４５】
また、以上の設定により、検体滴下位置センサ３４と測定位置センサ３５の一方のセンサが切欠部（１１１〜１１７）を検出している時には、他方のセンサは必ず非切欠部（１２１〜１２８）を検出し、両センサの出力（論理値）が同時に変化することがない。
【００４６】
次に、上述の構成によるヘモグロビン測定装置の測定動作を、図１０（ａ）〜（ｃ）を参照して説明する。
【００４７】
検体板１００を、差し込み先端部１００Ａを前側にして検体板挿入口１２より通路構成部材２３の凹溝部、すなわち、検体板移送通路２４に挿入する。すると、検体板１００は検体板移送通路２４の通路底面２４Ａ上を滑り、ついで、第１ローラ支持体２５の押さえローラ２９によって通路底面２４Ａに押し付けられる。これにより、検体板１００は上下方向にがた付くことなく、通路構成部材２３の奥側に挿入される。
【００４８】
上述したように検体板１００が挿入され、差し込み先端部１００Ａが押さえローラ２９に係合すると、押さえロー２９のほぼ直下にある検体板挿入センサ３３が検体板１００の挿入を検出する。これにより、検体板有無表示灯１６が点灯し、ステッピングモータ６３が正転駆動される。これにより、ピニオン５６、５７が同一速度の正転を開始する。
【００４９】
検体板１００がさらに挿入されると、検体板１００のラック歯１０６がピニオン５６と噛み合う。この噛み合いによって検体板１００のガイド基準面１０７が通路構成部材２３のガイド側面２４Ｂに押し付けられ、横方向のがた付きがなくされる。
【００５０】
検体板１００のラック歯１０６がピニオン５６と噛合すると、検体板１００は、ピニオン５６とガイド側面２４Ｂとによる横方向の拘束状態と、通路底面２４Ａと押さえローラ２９とによる上下方向の拘束状態で、ピニオン５６の正転により、通路構成部材２３を奥側に直進移動（前進移動）する。
【００５１】
この前進移動により、検体板１００のラック歯１０６は奥側のピニオン５７とも噛合し、検体板１００は、第２ローラ支持体２６の押さえローラ３０、第３ローラ支持体２７の図示されていない押さえローラによっても通路底面２４Ａに押し付けられた状態で、ピニオン５６、５７の引き続きの正転により、通路構成部材２３を更に奥側に前進移動する。
【００５２】
検体板挿入センサ３３が検体板１００の挿入を検出した後、測定位置センサ３５の出力信号が論理値０より論理値１へ変化した回数を計数し、図１０（ａ）に示されているように、４回目の論理値０→１変化時点Ｔ１、すなわち、測定位置センサ３５が位置出し切欠部１１１の後端側エッジを検出すると、ステッピングモータ６３によるピニオン５６、５７の正転駆動が停止される。これにより、検体板１００の検体保持部１０１の中心がヘモグロビン測定部３２の中央位置に位置し、当該時点Ｔ１で、検体板１００の前進移動が停止する。
【００５３】
検体（血液）の測定を行う場合には、測定開始スイッチ１４をオン（押下）する。これにより、待機中表示灯１７が消灯し、測定準備中表示灯１８が点灯し、検体保持部１０１による検体番号「１」が検体番号表示部２０に表示され、ヘモグロビン測定部３２が検体を滴下されていない空の検体保持部１０１の計測（初期値計測）を行う。この初期値計測が完了すると、待機中表示灯１７が点滅する。
【００５４】
この後、ステッピングモータ６３が逆転駆動され、ピニオン５６、５７の逆回転によって検体板１００が検体板移送通路２４を後退移動する。
【００５５】
この後退移動後、検体滴下位置センサ３４の出力信号が論理値０より論理値１へ変化した回数を計数し、図１０（ｂ）に示されているように、４回目の論理値１→０変化時点Ｔ２、すなわち、検体滴下位置センサ３４が位置出し切欠部１１１の後端側エッジを検出すると、ステッピングモータ６３によるピニオン５６、５７の逆転駆動が停止される。これにより、検体板１００の検体保持部１０１の中心が検体滴下部３１の中央位置に位置し、当該時点Ｔ２で、検体板１００の後退移動が停止する。
【００５６】
そして、この時点Ｔ２で、リニアソレノイド装置７７に対して通電が行われる。これにより、今まで、閉位置にあって、滴下飛散防止カバー部材７２の上端開口を遮蔽していた遮断板８０がばね８１のばね力に抗して開位置へ移動し、滴下飛散防止カバー部材７２の上端開口が開放され、検体滴下を許可する状態になる。また、待機中表示灯１７が点灯し、検体（血液）の滴下待ちになる。
【００５７】
この後、比重針７６より検体が、検体滴下開口７４を通って検体滴下部３１、つまり滴下飛散防止カバー部材７２の内側に滴下したことが検体滴下確認センサ８２によって検出されると、その後、所定時間（５秒程度）が経過した時点をもって検体板１００の一つの検体保持部１０１に対する検体滴下が終了したと判断し、リニアソレノイド装置７７に対する通電が停止される。これにより、遮断板８０がばね８１のばね力によって閉位置に戻り、滴下飛散防止カバー部材７２の上端開口を再び遮蔽し、滴下飛散防止カバー部材７２内に対する検体滴下を遮断する。
【００５８】
このように、遮断板（開閉蓋）８０が設けられ、検体滴下が可能な状態である時のみ、遮断板８０が開き、使用者は、そのことを検体滴下開口７４より明確に目視確認することができる。そして、検体板１００の移動時等、検体滴下が適当でない状態時には、遮断板８０が閉じ、検体滴下部３１に対する検体滴下が阻止されるから、誤った検体滴下や検体滴下部３１の汚損が回避される。
【００５９】
また、検体滴下部３１が滴下飛散防止カバー部材７２によって囲まれているから、検体が目標の検体保持部１０１以外に飛散することがなく、このことによって検体板１００の汚損が防止される。
【００６０】
上述のように検体板１００の検体保持部１０１に対する検体滴下が完了すると、検体保持部１０１の検体の拡散を待って（２０秒程度）、待機中表示灯１７が消灯し、測定中表示灯１９が点滅し、ステッピングモータ６３が再び正転駆動され、ピニオン５６、５７の正転によって検体板１００が検体板移送通路２４を再び前進移動する。
【００６１】
この前進移動後、図１０（ｃ）に示されているように、測定位置センサ３５が再び位置出し切欠部１１１の後端側エッジを検出すると、その時点Ｔ３でステッピングモータ６３によるピニオン５６、５７の正転駆動が停止される。これにより、検体板１００の検体保持部１０１の中心がヘモグロビン測定部３２の中央位置に位置し、当該時点Ｔ３で検体板１００の前進移動が停止する。
【００６２】
検体板１００の前進移動が停止すると、ヘモグロビン測定部３２が検体保持部１０１の検体に光を照射し、検体のヘモグロビン濃度を吸光度法によって測定する。ヘモグロビン濃度の測定が完了すると、その測定結果、すなわち、検体保持部１０１にある検体のヘモグロビン濃度（ヘモグロビン量（ｇ／ｄｌ））が測定結果表示部２２に表示され、測定中表示灯１９が消灯する。また、測定総数表示部２１の表示総数が１つインクリメントされる。
【００６３】
検体保持部１０１に保持されている検体の測定が完了すると、つぎに、検体保持部１０２に保持される検体の測定のために、検体滴下位置センサ３４、測定位置センサ３５による位置出し切欠部１１２の同様のエッジ検出によって、検体保持部１０２の中心がヘモグロビン測定部３２の中心位置に位置してヘモグロビン測定部３２が空の検体保持部１０２の測定を行い、この後に、検体保持部１０２の中心が検体滴下部３１の中心位置に位置して検体を滴下され、この後に、再び検体保持部１０２の中心がヘモグロビン測定部３２の中心位置に位置してヘモグロビン測定部３２が検体保持部１０２に滴下された検体の測定を行う一連の動作が繰り返される。
【００６４】
この一連の動作は、検体保持部１０３、１０４、１０５についても、順次、同様に行われる。検体保持部１０１〜１０５のすべての検査が終了すると、ステッピングモータ６３が逆転駆動され、ピニオン５６、５７の逆回転によって検体板１００が検体板移送通路２４より排出される。検体板１００の排出完了は、検体板挿入センサ３３によって検出され、検体板有無表示灯１６が消灯する。
【００６５】
上述の動作において、検体保持部１０１に保持されている検体の測定が完了すると、検体板１００は前進移動し、つぎの検体保持部１０２の中心がヘモグロビン測定部３２の中心位置に位置した状態では、検体板１００の後端部１００Ｂが検体滴下位置センサ３４の配置位置を通過するから、検体滴下位置センサ３４が検体板１００の最も後端部１００Ｂの側にある短い非切欠部１２８を検出するまでに、検体滴下位置センサ３４が検出した位置出し切欠部１１２の個数を計数することにより、検体板１００が保有する検体板１００が保有する検体保持部１０１〜１０５の個数を装置側が知ることができる。
【００６６】
この終端の非切欠部１２８の検出は、非切欠部１２８の長さＬｄが非切欠部１２１〜１２６の寸法（Ｌａ−Ｌｂ）より短いことから、検体滴下位置センサ３４の論理値１の出力時間が非切欠部１２１〜１２６の検出時より短いことにより、区別検出することができる。また、終端の非切欠部１２８の長さＬｄが切欠部１１１〜１１７より長いから、検体滴下位置センサ３４の論理値０の出力時間が切欠部１１１〜１１７の検出時より長いことによっても区別検出することができる。
【００６７】
以上のことにより、検体保持部の個数を任意とする検体板を用いることができる。この検体板としては、図１１に示されているように、検体保持部１０１が一つのものでよく、検体板の長手方向寸法は、検体保持部の個数に応じて過不足なく適正値に設定されればよい。なお、図１１において、図９に対応する部分は、図９に付した符号と同一の符号を付けて、その説明を省略する。
【００６８】
以上の説明より明らかなように、この実施形態によるヘモグロビン測定装置は、要するに、検体滴下が可能な状態である時のみ、つまり、正規の検体滴下時にのみ遮断板８０が開き、検体板１００の移動時等、検体滴下が適当でない状態時には、遮断板８０が閉じ、検体滴下部３１に対する検体滴下が阻止されるから、検体滴下部３１に対して誤った検体滴下が行われたり、検体滴下部３１が検体によって汚損されることがなくなり、これらに起因する誤測定・分析が行われることが未然に防止される。これにより、正確な測定・分析が信頼性高く行われるようになる。
【００６９】
なお、この発明は、円盤状の検体保持ディスクを回転させる回転型のものにも、同様に適用可能である。
【図面の簡単な説明】
【００７０】
【図１】この発明による成分測定・分析装置をヘモグロビン測定装置として実施した一つの実施形態の検体板挿入前の状態を示す斜視図である。
【図２】一つの実施形態によるヘモグロビン測定装置の内部構造を示す斜視図である。
【図３】一つの実施形態によるヘモグロビン測定装置の内部構造を示す平面図である。
【図４】一つの実施形態によるヘモグロビン測定装置の正面視の断面図である。
【図５】一つの実施形態によるヘモグロビン測定装置の検体滴下部の斜視図である。
【図６】一つの実施形態によるヘモグロビン測定装置の検体滴下部の平面図である。
【図７】一つの実施形態によるヘモグロビン測定装置の駆動ユニットの平面図である。
【図８】一つの実施形態によるヘモグロビン測定装置の駆動ユニットの側面図である。
【図９】（ａ）は一つの実施形態によるヘモグロビン測定装置で用いる検体板の一つの実施形態を示す平面図、（ｂ）は同じく断面図である。
【図１０】（ａ）〜（ｃ）は一つの実施形態によるヘモグロビン測定装置の動作タイミングを示すタイムチャートである。
【図１１】一つの実施形態によるヘモグロビン測定装置で用いる検体板の他の実施形態を示す平面図である。
【符号の説明】
【００７１】
１０  下部ケース
１１  上部カバー
１２  検体板挿入口
２３  通路構成部材
２４  検体板移送通路
２９  押さえローラ
３１  検体滴下部
３２  へモグロビン測定部
３３  検体板挿入センサ
３４  検体滴下位置センサ
３５  測定位置センサ
５０  駆動ユニット
５６、５７  ピニオン
６３  ステッピングモータ
７２  滴下飛散防止カバー部材
７６  比重針
７７  リニアソレノイド装置
８０  遮断板
８２  検体滴下確認センサ
１００  検体板
１０１〜１０５  検体保持部
１０６  ラック歯
【図１】
2005249636.tif 000003
【図２】
2005249636.tif 000004
【図３】
2005249636.tif 000005
【図４】
2005249636.tif 000006
【図５】
2005249636.tif 000007
【図６】
2005249636.tif 000008
【図７】
2005249636.tif 000009
【図８】
2005249636.tif 000010
【図９】
2005249636.tif 000011
【図１０】
2005249636.tif 000012
【図１１】
2005249636.tif 000013